(57)【要約】【課題】通常使用時には、原稿カバーが６０度程度までしか開かないようにして、原稿カバーを開いても載置している原稿が落ちないようにする一方、原稿読取部に異常が起きた場合の修理等を含むメンテナンス時には、原稿カバーが９０度程度まで開くようにする。【解決手段】原稿カバー１０Ｂと、原稿読取装置本体１０Ａと、原稿カバー１０Ｂを原稿読取装置本体１０Ａに対して開閉可能に取り付けるカバー取付手段５０とを備え、カバー取付手段５０は、原稿カバー１０Ｂに開閉機構部５１を介して取り付けられた棒状ヒンジ部６０と、原稿読取装置本体１０Ａに設けられた前記棒状ヒンジ部６０を挿入保持するヒンジガイド部８０とからなり、ヒンジガイド部８０には、棒状ヒンジ部６０をヒンジガイド部８０から所定距離引き抜いた状態で保持するために、棒状ヒンジ部６０の下部に設けられた係止用凸部６３を係止する係止用凹部８６が設けられている。【選択図】図１
2011149995.tif 000002
【特許請求の範囲】
【請求項１】
原稿搬送装置を備えた原稿カバーと、原稿載置台を備えた原稿読取装置本体と、前記原稿カバーを前記原稿読取装置本体に対して開閉可能に取り付けるカバー取付手段とを備えた原稿読取装置であって、
前記カバー取付手段は、前記原稿カバーに開閉機構部を介して取り付けられた棒状ヒンジ部と、前記原稿読取装置本体に設けられた前記棒状ヒンジ部を挿入保持するヒンジガイド部とを備え、
前記ヒンジガイド部には、前記棒状ヒンジ部を前記ヒンジガイド部から所定距離引き抜いた状態で、前記棒状ヒンジ部の下部に設けられた係止用凸部を係止する係止用凹部が設けられていることを特徴とする原稿読取装置。
【請求項２】
請求項１に記載の原稿読取装置であって、
前記開閉機構部は、前記棒状ヒンジ部の延長方向に直交する方向に対して前記原稿カバーを第１の角度まで一方向に開閉可能に設けられ、
前記係止用凸部を前記係止用凹部に係止した状態で、前記棒状ヒンジ部が前記ヒンジガイド部のガイド延長方向に対して第２の角度まで前記一方向に傾斜して保持されることを特徴とする原稿読取装置。
【請求項３】
請求項２に記載の原稿読取装置であって、
前記第１の角度が略６０度に設定され、前記第２の角度が略３０度に設定されていることを特徴とする原稿読取装置。
【請求項４】
請求項２または請求項３に記載の原稿読取装置であって、
前記原稿カバーを開く方向を前後方向とするとき、
前記カバー取付手段は前記原稿読取装置本体の後部側に設けられ、
前記棒状ヒンジ部は、略直方体形状の棒状に形成され、
前記ヒンジガイド部は、略直方体形状の開口筒に形成され、後側の内壁面上部が、前記原稿載置台の原稿読取面に垂直な方向に対して前記第２の角度だけ後方に傾斜した第１傾斜面に形成されていることを特徴とする原稿読取装置。
【請求項５】
請求項４に記載の原稿読取装置であって、
前記棒状ヒンジ部は、前側の外壁面下部に前記係止用凸部が形成されるとともに、この係止用凸部より下部側の外壁面が、上部側の外壁面に対して前記第２の角度だけ後方に傾斜した第２傾斜面に形成されていることを特徴とする原稿読取装置。
【請求項６】
請求項４または請求項５に記載の原稿読取装置であって、
前記棒状ヒンジ部は、下部側の前後方向の寸法が上部側の前後方向の寸法より小さく形成されていることを特徴とする原稿読取装置。
【請求項７】
請求項１から請求項６までのいずれか１項に記載の原稿読取装置を備えたことを特徴とする画像形成装置。
【発明の詳細な説明】
【技術分野】
【０００１】
本発明は、原稿搬送装置を備えた原稿カバーと、原稿載置台を備えた原稿読取装置本体と、原稿カバーを原稿読取装置本体に対して開閉可能に取り付けるカバー取付手段とを備えた原稿読取装置に係り、より詳細には、カバー取付手段のヒンジ構造を工夫することで、原稿カバーの開閉角度の調整を可能とした原稿読取装置及びこれを備えた画像形成装置に関する。
【背景技術】
【０００２】
従来の原稿読取装置は、原稿カバーを原稿読取装置本体に対して開閉可能に取り付けるカバー取付手段としてヒンジ構造が採用されている。従来のヒンジ構造は、原稿カバーを、原稿読取装置本体の原稿載置台の読取面に対して０度から９０度近くまで開くことができる構造が広く採用されている（例えば、特許文献１参照）。
【０００３】
しかし、原稿カバーが原稿搬送装置を備えた構成である場合、原稿搬送装置上に原稿を載置した状態で、原稿カバーを９０度まで開いてしまうと、原稿搬送装置上に載置している原稿が、原稿カバーの傾斜によって原稿読取装置の後部側（背面側）に滑り落ちてしまうといった問題があった。また、通常の使用状態においては、現実問題として、原稿載置台に本などの厚みのある原稿を載置する場合でも、原稿カバーを９０度まで開かなければならないような使用状況はほとんど無い。
【０００４】
そのため、原稿搬送装置を備えた原稿カバーを備えた従来の原稿読取装置は、原稿搬送装置に原稿を載置した状態で原稿カバーを開いても、原稿が落ちない角度、例えば６０度程度までしか開かないようになっているものが多い。
【先行技術文献】
【特許文献】
【０００５】
【特許文献１】特開２００７−８６７５６号公報
【発明の概要】
【発明が解決しようとする課題】
【０００６】
しかし、原稿カバーが６０度程度までしか開かない原稿読取装置では、例えば、原稿読取部（スキャナ部）に異常が起きた場合（例えば、原稿載置台のガラス裏面にゴミが付着して、ゴミの形状が複写されてしまう場合や、原稿を読み取るためのランプやミラー、読取素子などを搭載した原稿走査部の部品破損が起きた場合など）に、スキャナ部の内部を作業するために原稿載置台のガラスを外そうとしても、ヒンジ構造部分だけでの原稿カバーの開放動作では、ガラスを取り付けているネジ等を外すためのドライバが入らず、結局、画像形成装置本体から原稿読取装置全体を外して修理作業等を行う必要があり、大がかりな作業になるといった問題があった。
【０００７】
また、原稿読取装置を取り外す場合、画像形成装置との配線も外す必要があり、作業の手間がかかるといった問題もあった。
【０００８】
本発明はかかる問題点を解決すべく創案されたもので、その目的は、通常使用時には、原稿カバーが６０度程度までしか開かないようにして、原稿搬送装置に原稿を載置した状態で原稿カバーを開いても、載置している原稿が不測に落ちないようにする一方、原稿読取部に異常が起きた場合の修理等を含むメンテナンス時には、原稿カバーが９０度程度まで簡単に開くようにして、通常使用時の操作性の維持とメンテナンス時の作業性の向上を図った原稿読取装置及びこれを備えた画像形成装置を提供することにある。
【課題を解決するための手段】
【０００９】
上記課題を解決するため、本発明の原稿読取装置は、原稿搬送装置を備えた原稿カバーと、原稿載置台を備えた原稿読取装置本体と、前記原稿カバーを前記原稿読取装置本体に対して開閉可能に取り付けるカバー取付手段とを備えた原稿読取装置であって、前記カバー取付手段は、前記原稿カバーに開閉機構部を介して取り付けられた棒状ヒンジ部と、前記原稿読取装置本体に設けられた前記棒状ヒンジ部を挿入保持するヒンジガイド部とを備え、前記ヒンジガイド部には、前記棒状ヒンジ部を前記ヒンジガイド部から所定距離引き抜いた状態で、前記棒状ヒンジ部の下部に設けられた係止用凸部を係止する係止用凹部が設けられていることを特徴としている。
【００１０】
このような特徴を有する本発明によれば、原稿カバーの開き度合いを決定する要因として、従来の開閉機構部による開閉動作と、棒状ヒンジ部の抜き差しによる棒状ヒンジ部の傾倒動作（すなわち、棒状ヒンジ部の係止用凸部とヒンジガイド部の係止用凹部との係脱動作）との２つの動作に分けることができる。従って、通常使用時には、開閉機構部による原稿カバーの通常の開閉動作とし、メンテナンス等により原稿カバーをさらに開きたい場合には、棒状ヒンジ部の抜き差しによる棒状ヒンジ部の傾倒動作によって、原稿カバーをさらに開くことが可能となり、カバー取付手段の近傍でのメンテナンス時等の作業性を向上させることができる。
【００１１】
また、本発明の原稿読取装置によれば、前記開閉機構部は、前記棒状ヒンジ部の延長方向に直交する方向に対して前記原稿カバーを第１の角度まで一方向に開閉可能に設けられ、前記係止用凸部を前記係止用凹部に係止した状態で、前記棒状ヒンジ部が前記ヒンジガイド部のガイド延長方向に対して第２の角度まで前記一方向に傾斜して保持される構成としている。
【００１２】
このように、原稿カバーを、棒状ヒンジ部の延長方向に直交する方向（すなわち、原稿読取装置本体の原稿載置台の原稿載置面）に対して第１の角度まで開いた状態で、棒状ヒンジ部を所定距離引き抜いて係止用凸部を係止用凹部に係止させると、原稿カバーは、原稿載置台の原稿載置面に対して、第１の角度からさらに第２の角度まで開くことになる。そのため、カバー取付手段の近傍のスペースが広くなり、カバー取付手段近傍での作業性を向上させることができる。
【００１３】
また、本発明の原稿読取装置によれば、前記第１の角度が略６０度に設定され、前記第２の角度が略３０度に設定されている。従って、原稿搬送装置上に読み取り用の原稿を載置した状態で原稿カバーを第１の角度まで開いた場合でも、原稿カバーは、原稿載置台の原稿載置面（水平面）に対して６０度の角度までしか開かないので、原稿搬送装置上に載置された原稿が、原稿カバーの傾斜によって原稿読取装置の後部側（背面側）に滑り落ちる心配がない。一方、原稿カバーを第１の角度である略６０度まで開いた状態で、棒状ヒンジ部を所定距離引き抜いて係止用凸部を係止用凹部に係止させると、原稿カバーは、原稿載置台の原稿載置面（水平面）に対して、第１の角度である略６０度からさらに第２の角度である３０度まで（すなわち、原稿載置台の原稿載置面に対して略９０度まで）開くことができる。これにより、カバー取付手段の近傍のスペースが広くなるので、カバー取付手段近傍での作業性を向上させることができる。
【００１４】
また、本発明の原稿読取装置によれば、前記原稿カバーを開く方向を前後方向とするとき、前記カバー取付手段は前記原稿読取装置本体の後部側に設けられ、前記棒状ヒンジ部は、略直方体形状の棒状に形成され、前記ヒンジガイド部は、略直方体形状の開口筒に形成され、後側の内壁面上部が、前記原稿載置台の原稿読取面に垂直な方向に対して前記第２の角度だけ後方に傾斜した第１傾斜面に形成された構成としている。
【００１５】
このような構成とすれば、棒状ヒンジ部をヒンジガイド部から所定距離だけ上方に引き抜いた状態で、棒状ヒンジ部をヒンジガイド部に対して第２の角度まで後方に傾斜させると、棒状ヒンジ部の係止用凸部がヒンジガイド部の係止用凹部に係止し、ヒンジガイド部の第１傾斜面に棒状ヒンジ部の後側の外壁面が面接触して、保持されることになる。すなわち、棒状ヒンジ部をヒンジガイド部に対して面接触で保持することで、棒状ヒンジ部を第２の角度に傾斜させた状態で、当該棒状ヒンジ部を安定して保持することができる。従って、第１の角度まで開いた状態の原稿カバーを、棒状ヒンジ部を所定距離引き抜いてさらに第２の角度まで後方に傾斜させた場合でも、原稿カバーをその状態で安定して保持することができる。
【００１６】
また、本発明の原稿読取装置によれば、前記棒状ヒンジ部は、前側の外壁面下部に前記係止用凸部が形成されるとともに、この係止用凸部より下部側の外壁面が、上部側の外壁面に対して前記第２の角度だけ後方に傾斜した第２傾斜面に形成された構成としている。
【００１７】
このような構成とすれば、棒状ヒンジ部をヒンジガイド部から所定距離だけ上方に引き抜いた状態で、棒状ヒンジ部をヒンジガイド部に対して第２の角度まで後方に傾斜させると、棒状ヒンジ部の係止用凸部がヒンジガイド部の係止用凹部に係止し、ヒンジガイド部の第１傾斜面に棒状ヒンジ部の後側外壁面が面接触して保持されるとともに、ヒンジガイド部の前側内壁面に棒状ヒンジ部の第２傾斜面が面接触して保持されることになる。すなわち、棒状ヒンジ部を、後側外壁面の上部と前側外壁面の下部との２箇所でヒンジガイド部の対向する内壁面とそれぞれ面接触して保持することができるので、棒状ヒンジ部を第２の角度に傾斜させた状態で、当該棒状ヒンジ部をより安定して保持することができる。従って、第１の角度まで開いた状態の原稿カバーを、棒状ヒンジ部を所定距離引き抜いてさらに第２の角度まで後方に傾斜させた場合でも、原稿カバーをその状態でより安定して保持することができる。
【００１８】
また、本発明の原稿読取装置によれば、前記棒状ヒンジ部は、下部側の前後方向の寸法が上部側の前後方向の寸法より小さく形成されている。すなわち、ヒンジガイド部と棒状ヒンジ部の上部側とが密に嵌合するように、ヒンジガイド部の内壁面の横断面形状と棒状ヒンジ部の上部側の外壁面の横断面形状とを略等しく形成し、ヒンジガイド部と棒状ヒンジ部の下部側との間に隙間ができるように、ヒンジガイド部の内壁面の横断面形状（特に、前後方向の寸法）に対して棒状ヒンジ部の下部側の外壁面の横断面形状（特に、前後方向の寸法）を小さく形成している。これにより、原稿カバーを第１の角度で開閉しているときには、ヒンジガイド部に棒状ヒンジ部が密に嵌合した状態となっているので、原稿カバーの開閉時に、原稿カバーを所定の位置精度で位置決めすることができる。一方、原稿カバーを略９０度まで開きたい場合には、棒状ヒンジ部をヒンジガイド部から所定距離引き抜く。これにより、棒状ヒンジ部の上部がヒンジガイド部から抜け出し、ヒンジガイド部の内部には、棒状ヒンジ部の下部側のみが挿入されている状態となる。このとき、上記したように、ヒンジガイド部の開口部の前後方向の寸法に対して、棒状ヒンジ部の下部側の前後方向の寸法が小さく形成されており、ヒンジガイド部と棒状ヒンジ部との間に、棒状ヒンジ部を第２の角度だけ後方に傾斜させるのに必要な隙間が形成されている。従って、この状態で棒状ヒンジ部（すなわち、原稿カバー）を後方に傾斜させ、棒状ヒンジ部の係止用凸部をヒンジガイド部の係止用凹部に係止することで、原稿カバーを略９０度まで開いた状態とすることができる。
【００１９】
また、本発明の画像形成装置は、上記各構成の原稿読取装置を備えたことを特徴としている。本発明によれば、原稿カバーの開き度合いを、従来と同様の開閉機構部による開閉動作と、棒状ヒンジ部の抜き差しによる棒状ヒンジ部の傾倒動作（すなわち、棒状ヒンジ部の係止用凸部とヒンジガイド部の係止用凹部との係脱動作）との２つの動作で調整することができる。従って、通常使用時には、開閉機構部による原稿カバーの通常の開閉動作とし、メンテナンス等により原稿カバーをさらに開きたい場合には、棒状ヒンジ部の抜き差しによる棒状ヒンジ部の傾倒動作によって、原稿カバーをさらに開くことが可能となり、カバー取付手段の近傍でのメンテナンス時等の作業性を向上させた画像形成装置を提供することができる。
【発明の効果】
【００２０】
本発明は上記のように構成したので、原稿カバーの開き度合いを決定する要因として、従来の開閉機構部による開閉動作に加え、棒状ヒンジ部の抜き差しによる棒状ヒンジ部の傾倒動作の２つの動作に分けることによって、通常使用時には、開閉機構部による原稿カバーの通常の開閉動作とし、メンテナンス等により原稿カバーをさらに開きたい場合には、棒状ヒンジ部の抜き差しによる棒状ヒンジ部の傾倒動作によって、原稿カバーをさらに開くことが可能となり、カバー取付手段の近傍でのメンテナンス時等の作業性を向上させることができる。
【図面の簡単な説明】
【００２１】
【図１】本発明の原稿読取装置を搭載した画像形成装置の概略構成を示す正面より見た概略断面図である。
【図２】原稿読取部の側面図であり、具体例１のカバー取付手段の部分のみ断面図として示している。
【図３】原稿読取部の側面図であり、具体例１のカバー取付手段の部分のみ断面図として示している。
【図４】原稿読取部の側面図であり、具体例１のカバー取付手段の部分のみ断面図として示している。
【図５Ａ】具体例２のカバー取付手段を構成するヒンジガイド部の斜視図である。
【図５Ｂ】具体例２のカバー取付手段を構成する棒状ヒンジ部の斜視図である。
【図６】（ａ）〜（ｄ）は、原稿カバーの開閉動作に伴うカバー取付手段の動作遷移図である。
【図７】カバー取付手段の具体例２を示す断面図であり、棒状ヒンジ部とヒンジガイド部とを分解した状態で示している
【図８】（ａ）〜（ｄ）は、原稿カバーの開閉動作に伴うカバー取付手段の動作遷移図である。
【発明を実施するための形態】
【００２２】
以下、本発明の実施の形態について、図面を参照して説明する。なお、以下の実施の形態は、本発明を具体化した一例であって、本発明の技術的範囲を限定する性格のものではない。
【００２３】
図１は、本発明の原稿読取装置を搭載した画像形成装置の概略構成を示す正面より見た概略断面図である。まず、図１を参照して、画像形成装置の全体構成について説明する。
【００２４】
この画像形成装置１は、用紙（ＯＨＰ等の記録媒体を含む。）に画像を形成する画像形成モードとしてコピアモード、プリンタモード、ＦＡＸモードを有し、各モードはユーザによって選択され、また両面印字が可能である。
【００２５】
画像形成装置１は、本発明の原稿読取装置である原稿読取部１０、給紙部２０、画像形成部３０、排紙部４０、図示しない操作パネル部等から構成される。
【００２６】
原稿読取部１０は、原稿読取装置本体１０Ａ、及び、この原稿読取装置本体１０Ａ上に配置された原稿搬送装置１２を備える原稿カバー１０Ｂから構成され、画像形成装置本体（以下、単に装置本体という。）１００の上部に配置されている。原稿読取装置本体１０Ａには、プラテンガラス（本発明の原稿載置台に相当する。）１１ａ，１１ｂ、第１走査体１３、第２走査体１４、読取光学部１５等が収納されている。原稿読取部１０は、プラテンガラス１１ａ，１１ｂの原稿読取面Ａ，Ｂ上の原稿の画像情報を読み取る。
【００２７】
プラテンガラス１１ａ，１１ｂは透明ガラスで構成され、原稿読取装置本体１０Ａの上部に、原稿搬送装置１２に対向するように設けられている。原稿搬送装置１２は、原稿載置トレイ１２ａ上に載置された原稿を自動的にプラテンガラス１１ｂ上に給送する。原稿載置トレイ１２ａに複数枚の原稿が載置されている場合は、１枚ずつプラテンガラス１１ｂ上に給送する。
【００２８】
第１走査体１３は、露光ランプ１３ａ及び第１反射ミラー１３ｂ等から構成されている。露光ランプ１３ａは、プラテンガラス１１ａの原稿読取面Ａ上に載置された原稿または原稿搬送装置１２によってプラテンガラス１１ｂの原稿読取面Ｂ上に給送された原稿を露光する。第１反射ミラー１３ｂは、原稿において反射した画像光を後述する第２反射ミラー１４ａに入射させる。
【００２９】
第２走査体１４は、第２反射ミラー１４ａ及び第３反射ミラー１４ｂ等から構成されている。第２反射ミラー１４ａは、第１反射ミラー１３ｂから入射する画像光を反射して第３反射ミラー１４ｂに入射させる。第３反射ミラー１４ｂは、第２反射ミラー１４ａから入射する画像光を反射して読取光学部１５を構成する結像レンズ１５ａに入射させる。読取光学部１５は、結像レンズ１５ａ及びＣＣＤ（Charge Coupled Device）１５ｂ等から構成され、原稿面からの画像光を読み取る。結像レンズ１５ａは、第３反射ミラー１４ｂから入射された画像光をＣＣＤ１５ｂ上に結像する。ＣＣＤ１５ｂは、受光した画像光を光電変換する。
【００３０】
また、プラテンガラス１１ａの原稿読取面Ａ上に載置された原稿の画像情報を読み取る際、第１走査体１３は、図示しない駆動手段によってプラテンガラス１１ａ，１１ｂの面方向（水平方向）に沿って所定の移動速度Ｖで移動し、露光ランプ１３ａが原稿面を露光する。このとき、第２走査体１４は、第１走査体１３の移動に連動してプラテンガラス１１ａ，１１ｂの面方向に沿って移動速度Ｖ／２で移動しつつ第１走査体１３から入射される原稿面の画像光を結像レンズ１５ａに入射させる。第１走査体１３の移動速度Ｖに対して第２走査体１４の移動速度をＶ／２としたのは、原稿面からＣＣＤ１５ｂまでの光路Ｍの光路長を一定に保って正確に画像光を受光するためである。
【００３１】
一方、原稿搬送装置１２の原稿載置トレイ１２ａに載置されている原稿を読み取る際、第１走査体１３は、図１に示す所定の読取位置Ｔ１に静止した状態で、原稿搬送路Ｒ上を経由して第１走査体１３に対向するプラテンガラス１１ｂの原稿読取面Ｂ上に給送されてきた原稿の原稿面を露光する。露光された原稿は排紙トレイ１２ｂに載置される。このとき、第２走査体１４も同様に読取位置Ｔ２に静止した状態で、第１走査体１３からの画像光を結像レンズ１５ａに入射させる。
【００３２】
給紙部２０は、装置本体の下部に配置され、給紙トレイ２１、手差トレイ２２及び給紙ローラ２３、捌き部材２４等から構成される。給紙トレイ２１及び手差トレイ２２は、画像形成時に用紙搬送路Ｓに給紙される用紙を載置する。給紙ローラ２３は、回転して捌き部材２４に給紙トレイ２１等に収納されている用紙を搬送する。捌き部材２４は、給紙ローラ２３によって搬送されてきた用紙が複数枚に重なって搬送されてきた際に１枚ずつ用紙搬送路Ｓに搬送する。
【００３３】
画像形成部３０は、原稿読取部１０の下方の手差トレイ２２側に配置され、レーザスキャニングユニット（以下、ＬＳＵと言う。）３７、像担持体である感光体３１及び定着装置３６を有し、感光体３１の周囲に、帯電器３２、現像装置３３、転写装置３４及びクリーニングユニット３５を感光体３１の回転方向である矢印Ｙ方向に沿ってこの順に配置して構成されている。
【００３４】
排紙部４０は、給紙トレイ２１の上方に配置され、排紙ローラ４１及び排紙トレイ４２等から構成される。排紙ローラ４１は、用紙搬送路Ｓ上を搬送されてきた用紙を排紙トレイ４２に排出する。さらに、排紙ローラ４１は可逆回転が可能であり、用紙の両面に画像形成を行う際、用紙搬送路Ｓ上を搬送されてきた表面の画像形成が終了した用紙をチャックした後、上記用紙を排出する回転方向とは逆方向に回転して用紙搬送路Ｓ′に搬送する。排紙トレイ４２は、排紙ローラ４１から排出された画像形成の終了した用紙を収納する。
【００３５】
以上が画像形成装置１の概略構成の説明である。
【００３６】
上記構成において、原稿カバー１０Ｂは、原稿読取装置本体１０Ａに対して、カバー取付手段を介して開閉可能に取り付けられている。
【００３７】
以下、このカバー取付手段について、具体的に説明する。
【００３８】
＜具体例１＞
図２ないし図４は、原稿読取部１０の側面図であり、カバー取付手段５０の部分のみ断面図として示している。また、図５Ａは、カバー取付手段を構成するヒンジガイド部の斜視図、図５Ｂは、カバー取付手段を構成する棒状ヒンジ部の斜視図である。
【００３９】
なお、以下の説明においては、画像形成装置に対峙する操作者から見て、原稿カバー１０Ｂを開閉する方向（図２ないし図４では左右方向）を前後方向、これに直交する方向（図２ないし図４では紙面に垂直な方向）を左右方向として説明する。
【００４０】
カバー取付手段５０は、原稿読取装置本体１０Ａの後部側において、左右方向に一対設けられている。ただし、図２ないし図４では、手前側のカバー取付手段５０のみ図示している。
【００４１】
このカバー取付手段５０は、原稿カバー１０Ｂに開閉機構部５１を介して取り付けられた棒状ヒンジ部６０と、原稿読取装置本体１０Ａに設けられた棒状ヒンジ部６０を挿入保持するヒンジガイド部８０とから構成されている。
【００４２】
開閉機構部５１は、棒状ヒンジ部６０の延長方向に直交する方向に対して（すなわち、原稿載置台の原稿載置面に対して）、原稿カバー１０Ｂを第１の角度（本実施形態では略６０度）まで一方向に開閉可能に設けられている。すなわち、開閉機構部５１は、原稿カバー１０Ｂを、プラテンガラス１１ａ，１１ｂの原稿読取面Ａ，Ｂ上に載置した図２に示す状態（開放角度０度の状態）から、プラテンガラス１１ａ，１１ｂの原稿読取面Ａ，Ｂに対して第１の角度である略６０度まで開いた図３に示す状態まで、開くことができるような機構構造となっている。すなわち、図示は省略しているが、略６０度まで開いた状態で、弾性部材等の作用によって、原稿カバー１０Ｂがその開いた状態を保持できるようになっている。また、この状態から原稿カバー１０Ｂを下方に軽く押し下げると、弾性部材等の弾性力に抗して、簡単に原稿カバー１０Ｂを閉じることができるようになっている。なお、このような機構構造は従来周知の構造であり、本願発明の要部ではないので、ここでは詳細な説明を省略する。
【００４３】
ヒンジガイド部８０は、図５Ａに示すように、全体が略直方体形状の箱型に形成され、上部が開口（開口部）８７された開口筒形状の筐体８１によって形成されている。この筐体８１の左右外壁面８２，８３には、開口部８７の近傍と下部とに、原稿読取装置本体１０Ａへの取付片８４ａ，８４ｂ（ただし、図５Ａでは手前側の取付片のみ図示している。）がそれぞれ突設されている。そして、この取付片８４ａ，８４ｂを、原稿読取装置本体１０Ａの後部上面に形成された矩形状の開口部（図示省略）に嵌め込み、原稿読取装置本体１０Ａの図示しないフレームに添設し、取付片８４ａ，８４ｂのネジ孔８４ａ１，８４ｂ１からフレームの図示しない雌ネジ孔に対して図示しない雄ネジを挿通・螺合することにより、筐体８１が、図２ないし図４に示す状態で、原稿読取装置本体１０Ａの後部上面に固定されている。このようにして原稿読取装置本体１０Ａに固定されたヒンジガイド部８０には、筐体８１の前側内壁面８５の中央上部に係止用凹部８６が形成されている。この係止用凹部８６は、外壁面まで貫通していてもよいし、前側内壁面８５から一定深さだけ外壁面側に凹ませた形状であってもよい。
【００４４】
一方、棒状ガイド部６０は、図５Ｂに示すように、全体が略直方体形状の棒状（または、内部が空洞の角筒状）に形成されており、前側外壁面６１の下部、すなわち下端中央部には、ヒンジガイド部８０の係止用凹部８６に係止する係止用凸部６３が形成されている。この係止用凸部６３は、前側外壁面６１の下端縁部分を、左右方向の中央部を残してその左右両側を後部側に略Ｌ字状に切り欠くことによって形成されている。この切欠部６４は、係止用凹部８６に係止用凸部６３が挿入係止されるときに、棒状ガイド部６０の前側外側面６１の下端部がヒンジガイド部８０の前側内壁面８５に当たるのを回避するための当接回避用の切欠き部となっている。
【００４５】
また、棒状ガイド部６０は、下部側の前後方向の寸法Ｌ１が、上部側の前後方向の寸法Ｌ２より小さく（Ｌ１＜Ｌ２）なるように形成されている。すなわち、棒状ガイド部６０の後側外壁面６５は、上部側から下部側に向かう途中部分が緩やかに湾曲した段差形状６５ａとなっている。具体例１では、この段差形状６５ａは上下方向の２箇所に設けられている。
【００４６】
つまり、ヒンジガイド部８０と棒状ヒンジ部６０の上部側とが密に嵌合するように、ヒンジガイド部８０の内壁面の横断面形状と棒状ヒンジ部６０の上部側の外壁面の横断面形状とが略等しく形成される一方、ヒンジガイド部８０と棒状ヒンジ部６０の下部側との前後方向の間に隙間Ｐ（後述する図６（ｃ）参照）ができるように、ヒンジガイド部８０の内壁面の横断面形状（特に、前後方向の寸法）に対して棒状ヒンジ部６０の下部側の外壁面の横断面形状（特に、前後方向の寸法）が小さく形成されている。
【００４７】
すなわち、ヒンジガイド部８０の前後方向の寸法は、棒状ヒンジ部６０の上部側が上下摺動可能な状態でほぼ緊密に嵌まり合う寸法（すなわち、棒状ヒンジ部６０の前後方向の寸法Ｌ２より若干幅広の寸法Ｌ２′）に形成されている。なお、ヒンジガイド部８０と棒状ヒンジ部６０の左右方向の寸法については、ヒンジガイド部８０に棒状ヒンジ部６０が上下摺動可能な状態でほぼ緊密に嵌まり合う寸法関係（すなわち、棒状ヒンジ部６０を上下に摺動させても左右方向にはほとんどガタつかない程度の寸法関係）となっている。
【００４８】
これにより、棒状ヒンジ部６０をヒンジガイド部８０の奥まで完全に挿入した通常使用時の状態では、ヒンジガイド部８０に棒状ヒンジ部６０の上部が密に嵌合した状態（Ｌ２≒Ｌ２′）となっているので、原稿カバー１０Ｂの開閉時にガタつくことはなく、原稿カバー１０Ｂを所定の位置精度で位置決めすることができる。また、棒状ヒンジ部６０がヒンジガイド部８０から不測に抜けることもない。
【００４９】
一方、棒状ヒンジ部６０をヒンジガイド部８０から所定距離Ｈ（図４参照）だけ上方に引き抜くと、棒状ヒンジ部６０の上部がヒンジガイド部８０から抜け出し、ヒンジガイド部８０の内部には、棒状ヒンジ部６０の下部側のみが挿入されている状態となる。このとき、上記したように、ヒンジガイド部８０の前後方向の寸法Ｌ２′に対して、棒状ヒンジ部６０の下部側の前後方向の寸法Ｌ１が小さく形成（Ｌ２′＞Ｌ１）されており、ヒンジガイド部８０と棒状ヒンジ部６０との前後方向の間に、棒状ヒンジ部６０を後述する第２の角度（例えば、略３０度）だけ後方に傾斜させるのに必要な隙間Ｐ（図６（ｃ）参照）が形成されている。従って、この状態で棒状ヒンジ部６０（すなわち、原稿カバー１０Ｂ）をヒンジガイド部８０のガイド延長方向に対して第２の角度だけ後方に傾斜させると、棒状ヒンジ部６０の係止用凸部６３がヒンジガイド部８０の係止用凹部８６に係止し、棒状ヒンジ部６０の後側外壁面６５がヒンジガイド部８０の後側内壁面８８の上部角部８８ａに当接して、棒状ヒンジ部６０がこの状態で安定して保持されることになる。
【００５０】
具体例１のカバー取付手段５０は、このような構造となっている。
【００５１】
次に、図２ないし図４に示した原稿カバー１０Ｂの開閉動作、及び図６（ａ）〜（ｄ）に示した原稿カバー１０Ｂの開閉動作に伴うカバー取付手段５０の動作遷移図を参照して、原稿カバー１０Ｂを閉じた状態から略９０度まで開くときの動作を説明する。ただし、図６（ａ）〜（ｄ）では、ヒンジガイド部８０のみを断面図で示しているが、その切断面を示すハッチングは省略している。
【００５２】
原稿カバー１０Ｂを閉じた図２及び図６（ａ）に示す状態から、原稿カバー１０Ｂの前側（図２では右側）を開く方向に持ち上げると、開閉機構部５１の動作により、原稿カバー１０Ｂは、略６０度開いた図３及び図６（ｂ）に示す状態となる。これは、通常使用時の状態であり、図６（ａ），（ｂ）に示すように、棒状ヒンジ部６０はヒンジガイド部８０の奥まで完全に挿入保持されており、ヒンジガイド部８０に棒状ヒンジ部６０の上部が密に嵌合した状態となっているので、原稿カバー１０Ｂの開閉時に、原稿カバー１０Ｂがガタつくことはない。
【００５３】
この後、メンテナンス等のため、原稿カバー１０Ｂをさらに開きたい場合には、図６（ｃ）に示すように、原稿カバー１０Ｂを所定距離Ｈだけ上方に持ち上げる。すなわち、棒状ヒンジ部６０をヒンジガイド部８０から所定距離Ｈだけ上方に引き抜く。これにより、棒状ヒンジ部６０の上部がヒンジガイド部８０から抜け出し、ヒンジガイド部８０の内部には、棒状ヒンジ部６０の下部側のみが挿入されている状態となる。つまり、ヒンジガイド部８０と棒状ヒンジ部６０との前後方向の間に隙間Ｐが形成される。
【００５４】
従って、この状態で棒状ヒンジ部６０を後方側に傾斜させると（すなわち、略６０度まで開いた原稿カバー１０Ｂをさらに後方に傾斜させると）、図４及び図６（ｄ）に示すように、棒状ヒンジ部６０の係止用凸部６３がヒンジガイド部８０の係止用凹部８６に係止し、棒状ヒンジ部６０の後側外壁面６５がヒンジガイド部８０の後側内壁面８８の上部角部８８ａに当接して、棒状ヒンジ部６０がヒンジガイド部８０のガイド延長方向（すなわち、プラテンガラス１１ａ，１１ｂの原稿読取面Ａ，Ｂに直交する垂直方向）から略３０度だけ後方に傾斜した状態で保持される。つまり、原稿カバー１０Ｂは、プラテンガラス１１ａ，１１ｂの原稿読取面Ａ，Ｂに対して略６０度まで開いた状態から、さらに後方側に略３０度開いて（傾斜して）、プラテンガラス１１ａ，１１ｂの原稿読取面Ａ，Ｂにほぼ直交する方向（略垂直方向）まで開いた状態で保持されることになる。
【００５５】
このように、本発明では、原稿カバー１０Ｂの開き度合いを決定する要因として、従来と同様の開閉機構部による開閉動作と、棒状ヒンジ部６０の抜き差しによる棒状ヒンジ部６０の傾倒動作（すなわち、棒状ヒンジ部６０の係止用凸部６３とヒンジガイド部８０の係止用凹部８６との係脱動作）との２つの動作に分けている。従って、通常使用時には、開閉機構部５１による原稿カバー１０Ｂの通常の開閉動作とし、メンテナンス等により原稿カバー１０Ｂをさらに開きたい場合には、棒状ヒンジ部６０の抜き差しによる棒状ヒンジ部６０の傾倒動作によって、原稿カバー１０Ｂをさらに開くことが可能となり、カバー取付手段５０近傍のスペースが広くなる。従って、メンテナンス時等において、特に、カバー取付手段５０近傍での作業性を向上させることができる。例えば、プラテンガラス１１ａ，１１ｂを固定しているカバー取付手段５０近傍の図示しない固定ネジを取り外すためのドライバ等を、原稿カバー１０Ｂに邪魔されることなく、容易に差し込むことができる。これにより、画像形成部３０から原稿読取部１０を外して修理作業等を行う必要がないので、作業性が向上することになる。
【００５６】
なお、図６からも分かるように、原稿カバー１０Ｂを原稿読取装置本体１０Ａから完全に取り外したい場合には、原稿カバー１０Ｂを上方に持ち上げて、棒状ヒンジ部６０をヒンジガイド部８から完全に引き抜けばよい。
【００５７】
＜具体例２＞
図７は、カバー取付手段５０の具体例２を示す断面図であり、棒状ヒンジ部６０とヒンジガイド部８０とを分解した状態で示している。ただし、ヒンジガイド部８０については、切断面を示すハッチングを省略している。
【００５８】
基本的な構成は具体例１と全く同じであるが、具体例２では、原稿カバー１０Ｂを略９０度まで開いたときの安定性をさらに考慮した構造となっている。
【００５９】
すなわち、具体例２のカバー取付手段５０では、ヒンジガイド部８０の後側内壁面８８の上部が、プラテンガラス１１ａ，１１ｂの原稿読取面Ａ，Ｂに垂直な方向（すなわち、ヒンジガイド部８０のガイド延長方向）に対して第２の角度である略３０度だけ後方に傾斜した第１傾斜面８９に形成されている。また、棒状ヒンジ部６０の前側外壁面６１の下端縁部分に形成した切欠部６４の垂下面６４ａをさらに下方に延設するとともに、この垂下面６４ａが、前側外壁面６１の上部側の壁面に対して（すなわち、プラテンガラス１１ａ，１１ｂの原稿読取面Ａ，Ｂに垂直な方向に対して）第２の角度である略３０度だけ後方に傾斜した第２傾斜面６６に形成されている。
【００６０】
このような構成とすれば、棒状ヒンジ部６０をヒンジガイド部８０から所定距離Ｈだけ上方に引き抜いた状態で、棒状ヒンジ部６０をヒンジガイド部８０に対して第２の角度（略３０度）まで後方に傾斜させると、棒状ヒンジ部６０の係止用凸部６３がヒンジガイド部８０の係止用凹部８６に係止し、ヒンジガイド部８０の第１傾斜面８９に棒状ヒンジ部６０の下部側の後側外壁面６５が面接触して保持され、ヒンジガイド部８０の前側内壁面８５に棒状ヒンジ部６０の第２傾斜面６６が面接触して保持されることになる。
【００６１】
次に、図２ないし図４に示した原稿カバー１０Ｂの開閉動作、及び図８（ａ）〜（ｄ）に示した原稿カバー１０Ｂの開閉動作に伴うカバー取付手段５０の動作遷移図を参照して、原稿カバー１０Ｂを閉じた状態から略９０度まで開くときの動作を説明する。ただし、図８（ａ）〜（ｄ）では、ヒンジガイド部８０のみを断面図で示しているが、その切断面を示すハッチングは省略している。
【００６２】
原稿カバー１０Ｂを閉じた図２及び図８（ａ）に示す状態から、原稿カバー１０Ｂを開く方向に持ち上げると、開閉機構部５１の動作により、原稿カバー１０Ｂは、略６０度開いた図３及び図８（ｂ）に示す状態となる。これは、通常使用時の状態であり、図８（ａ），（ｂ）に示すように、棒状ヒンジ部６０はヒンジガイド部８０の奥まで完全に挿入保持されており、ヒンジガイド部８０に棒状ヒンジ部６０の上部が密に嵌合した状態となっているので、原稿カバー１０Ｂの開閉時にガタつくことはない。
【００６３】
この後、メンテナンス等のため、原稿カバー１０Ｂをさらに開きたい場合には、図８（ｃ）に示すように、原稿カバー１０Ｂを所定距離Ｈだけ上方に持ち上げる。すなわち、棒状ヒンジ部６０をヒンジガイド部８０から所定距離Ｈだけ上方に引き抜く。これにより、棒状ヒンジ部６０の上部がヒンジガイド部８０から抜け出し、ヒンジガイド部８０の内部には、棒状ヒンジ部６０の下部側のみが挿入されている状態となる。つまり、ヒンジガイド部８０と棒状ヒンジ部６０との前後方向の間に隙間Ｐが形成される。
【００６４】
従って、この状態で棒状ヒンジ部６０を後方側に傾斜させると（すなわち、略６０度まで開いた原稿カバー１０Ｂをさらに後方に傾斜させると）、図４及び図８（ｄ）に示すように、棒状ヒンジ部６０の係止用凸部６３がヒンジガイド部８０の係止用凹部８６に係止し、ヒンジガイド部８０の第１傾斜面８９に棒状ヒンジ部６０の下部側の後側外壁面６５が面接触して保持され、ヒンジガイド部８０の前側内壁面８５に棒状ヒンジ部６０の第２傾斜面６６が面接触して保持される。すなわち、棒状ヒンジ部６０を、後側外壁面の上部と前側外壁面の下部との２箇所でヒンジガイド部８０の内壁面と面接触して保持することができるので、棒状ヒンジ部６０を、ヒンジガイド部８０のガイド延長方向（すなわち、プラテンガラス１１ａ，１１ｂの原稿読取面Ａ，Ｂに直交する垂直方向）から略３０度だけ後方に傾斜させた状態で、より安定して保持することができる。従って、第１の角度（略６０度）まで開いた状態の原稿カバー１０Ｂを、棒状ヒンジ部６０を所定距離Ｈだけ引き抜いてさらに第２の角度（略３０度）まで後方に傾斜させた場合（すなわち、原稿カバー１０Ｂを、プラテンガラス１１ａ，１１ｂの原稿読取面Ａ，Ｂに対して略９０度まで開いた状態とした場合）でも、原稿カバー１０Ｂをその状態でより安定して保持することができるものである。
【００６５】
なお、具体例２では、ヒンジガイド部８０の後側内壁面８８の上部に第１傾斜面８９を形成し、棒状ヒンジ部６０の前側外壁面６１の下部に第２傾斜面６６を形成しているが、このような傾斜面の形成はどちらか一方のみでもよく、この場合でも、原稿カバー１０Ｂを略９０度開いた状態で十分に安定して保持することが可能である。
【符号の説明】
【００６６】
１  画像形成装置
１０  原稿読取部
１０Ａ  原稿読取装置本体
１０Ｂ  原稿カバー
１１ａ，１１ｂ  プラテンガラス
１２  原稿搬送装置
１２ａ  原稿載置トレイ
１３  第１走査体
１３ａ  露光ランプ
１３ｂ  第１反射ミラー
１４  第２走査体
１４ａ  第２反射ミラー
１４ｂ  第３反射ミラー
１５  読取光学部
１５ａ  結像レンズ
１５ｂ  ＣＣＤ（Charge Coupled Device）
２０  給紙部
２１  給紙トレイ
２２  手差トレイ
２３  給紙ローラ
２４  捌き部材
３０  画像形成部
３１  感光体
３２  帯電器
３３  現像装置
３４  転写装置
３６  クリーニングユニット
３７  レーザスキャニングユニット（ＬＳＵ）
４０  排紙部
４１  排紙ローラ
４２  排紙トレイ
５０  カバー取付手段
５１  開閉機構部
６０  棒状ヒンジ部
６１  前側外壁面（前側の外壁面）
６３  係止用凸部
６４  切欠部
６４ａ  垂下面
６５  後側外壁面（後側の外壁面）
６５ａ  段差形状
６６  第２傾斜面
８０  ヒンジガイド部
８１  筐体
８２  左外壁面
８３  右外壁面
８４ａ，８４ｂ  取付片
８４ａ１，８４ｂ１  ネジ孔
８５  前側内壁面（前側の内壁面）
８６  係止用凹部
８７  開口部
８８  後側内壁面（後側の内壁面）
８８ａ  上部角部
８９  第１傾斜面
Ａ，Ｂ  原稿読取面
Ｈ  所定距離
Ｒ  原稿搬送路
Ｓ  用紙搬送路
Ｔ１  所定の読取位置
Ｔ２  読取位置
Ｐ  隙間
【図１】
2011149995.tif 000003
【図２】
2011149995.tif 000004
【図３】
2011149995.tif 000005
【図４】
2011149995.tif 000006
【図５Ａ】
2011149995.tif 000007
【図５Ｂ】
2011149995.tif 000008
【図６】
2011149995.tif 000009
【図７】
2011149995.tif 000010
【図８】
2011149995.tif 000011